(57)【要約】【課題】高輝度で高品位のカラー表示が可能な表示装置およびそれに用いられるカラーフィルタ基板を提供する。【解決手段】本発明による表示装置は、複数の行および複数の列を有するマトリクス状に配列された複数の画素を有する。複数の画素１のそれぞれは、第１の色を表示する第１色絵素、第２の色を表示する第２色絵素および第３の色を表示する第３色絵素を有し、さらに、第４の色を表示する２つの第４色絵素を有する。【選択図】図１
2006259135.tif 000002
【特許請求の範囲】
【請求項１】
複数の行および複数の列を有するマトリクス状に配列された複数の画素を有する表示装置であって、
前記複数の画素のそれぞれは、第１の色を表示する第１色絵素、第２の色を表示する第２色絵素および第３の色を表示する第３色絵素を有し、さらに、第４の色を表示する２つの第４色絵素を有する表示装置。
【請求項２】
表示面法線方向から見たとき、前記第１色絵素、前記第２色絵素および前記第３色絵素の面積は互いに略等しく、前記第４色絵素の面積は、前記第１色絵素、前記第２色絵素および前記第３色絵素のそれぞれの面積の略半分である請求項１に記載の表示装置。
【請求項３】
前記第１色絵素は赤色を表示する赤色絵素であり、前記第２色絵素は緑色を表示する緑色絵素であり、前記第３色絵素は青色を表示する青色絵素である請求項１または２に記載の表示装置。
【請求項４】
前記第４色絵素は白色を表示する白色絵素である請求項３に記載の表示装置。
【請求項５】
前記赤色絵素、前記緑色絵素、前記青色絵素および前記２つの白色絵素は、行方向に沿って所定の順番で配置されている請求項４に記載の表示装置。
【請求項６】
前記２つの白色絵素は、前記赤色絵素、前記緑色絵素および前記青色絵素のうちの少なくとも１つを挟むように配置されている請求項５に記載の表示装置。
【請求項７】
前記２つの白色絵素は、前記赤色絵素、前記緑色絵素および前記青色絵素のうちの１つを挟むように配置されている請求項６に記載の表示装置。
【請求項８】
前記２つの白色絵素は、前記赤色絵素または前記青色絵素を挟むように配置されている請求項７に記載の表示装置。
【請求項９】
前記赤色絵素、前記緑色絵素、前記青色絵素および前記２つの白色絵素のそれぞれは、第１電極と、第１電極に対向する第２電極と、第１電極と第２電極との間に設けられた液晶層と、前記第１電極に電気的に接続されたスイッチング素子とを含み、
前記赤色絵素、前記緑色絵素、前記青色絵素および前記２つの白色絵素のそれぞれの前記液晶層には、行方向に沿って隣接する絵素の前記液晶層に印加される電圧とは反対の極性の電圧が印加される請求項５から８のいずれかに記載の表示装置。
【請求項１０】
行方向に沿って延びる複数の走査配線と、列方向に沿って延びる複数の信号配線とをさらに有し、
前記２つの白色絵素のうちの一方の白色絵素の前記スイッチング素子が接続されている信号配線と、他方の白色絵素の前記スイッチング素子が接続されている信号配線とは、表示領域外で電気的に接続されている請求項９に記載の表示装置。
【請求項１１】
複数の行および複数の列を有するマトリクス状に配列された複数の画素を有し、前記複数の画素のそれぞれが複数の絵素を有する表示装置に用いられるカラーフィルタ基板であって、
前記複数の絵素に対応する複数のカラーフィルタを有し、
前記複数のカラーフィルタは、第１の色の光を透過する第１色カラーフィルタ、第２の色の光を透過する第２色カラーフィルタおよび第３の色の光を透過する第３色カラーフィルタを有し、さらに、第４の色の光を透過する２つの第４色カラーフィルタを有するカラーフィルタ基板。
【請求項１２】
前記第１色カラーフィルタは赤色の光を透過する赤色カラーフィルタであり、前記第２色カラーフィルタは緑色の光を透過する緑色カラーフィルタであり、前記第３色カラーフィルタは青色の光を透過する青色カラーフィルタである請求項１１に記載のカラーフィルタ基板。
【請求項１３】
前記第４色カラーフィルタは白色の光を透過する白色カラーフィルタである請求項１２に記載のカラーフィルタ基板。
【請求項１４】
前記赤色カラーフィルタ、前記緑色カラーフィルタ、前記青色カラーフィルタおよび前記２つの白色カラーフィルタは、行方向に沿って所定の順番で配置されている請求項１３に記載のカラーフィルタ基板。
【請求項１５】
前記赤色カラーフィルタ、前記緑色カラーフィルタおよび前記青色カラーフィルタの行方向に沿った幅は互いに略等しく、前記白色カラーフィルタの行方向に沿った幅は、前記赤色カラーフィルタ、前記緑色カラーフィルタおよび前記青色カラーフィルタのそれぞれの行方向に沿った幅の略半分である請求項１４に記載のカラーフィルタ基板。
【請求項１６】
前記２つの白色カラーフィルタは、前記赤色カラーフィルタ、前記緑色カラーフィルタおよび前記青色カラーフィルタのうちの少なくとも１つを挟むように配置されている請求項１５に記載のカラーフィルタ基板。
【請求項１７】
前記２つの白色カラーフィルタは、前記赤色カラーフィルタ、前記緑色カラーフィルタおよび前記青色カラーフィルタのうちの１つを挟むように配置されている請求項１６に記載のカラーフィルタ基板。
【請求項１８】
前記２つの白色カラーフィルタは、前記赤色カラーフィルタまたは前記青色カラーフィルタを挟むように配置されている請求項１７に記載のカラーフィルタ基板。
【発明の詳細な説明】
【技術分野】
【０００１】
本発明は、表示装置に関し、特に、カラー表示を行う表示装置に関する。また、本発明は、そのような表示装置に用いられるカラーフィルタ基板にも関する。
【背景技術】
【０００２】
現在、カラー表示が可能な液晶表示装置（カラー液晶表示装置）が広く利用されている。カラー液晶表示装置では、絵素（ドット）に対応してカラーフィルタが設けられており、典型的には、赤（Ｒ）、緑（Ｇ）、青（Ｂ）の光の三原色に対応するカラーフィルタが絵素に対応して、所定のパターンで配列されている。Ｒ、Ｇ、Ｂの３つの絵素（ドット）が１つの画素（ピクセル）を構成し、各画素はカラー表示を行うことができる。
【０００３】
近年、カラー液晶表示装置の表示輝度を向上する手法が提案されている。例えば特許文献１には、図１１に示すように、Ｒ、Ｇ、Ｂの３つの絵素１Ｒ、１Ｇ、１Ｂに加えて白（Ｗ）に対応した絵素１Ｗが設けられ、これら４つの絵素で１つの画素１が構成された液晶表示装置５００が開示されている。
【０００４】
また、特許文献２にも、図１２に示すように、Ｗの絵素１Ｗを含む４つの絵素で１つの画素１が構成された液晶表示装置６００が開示されている。この液晶表示装置６００においては、４つの絵素１Ｒ、１Ｇ、１Ｂ、１Ｗが田の字状に配列されている。
【０００５】
Ｗの絵素は、他の絵素に比べて光の利用効率が高いので、特許文献１および２に開示されているように、Ｗの絵素を含む４つの絵素で１つの画素を構成すると、表示輝度が向上する。
【特許文献１】特開平１１−２９５７１７号公報
【特許文献２】特開平２−１１８５２１号公報
【発明の開示】
【発明が解決しようとする課題】
【０００６】
しかしながら、上記特許文献１および２に開示されているように、４つの絵素で１つの画素を構成すると、輝度は向上するものの、以下に詳しく説明するように表示品位が低下してしまう。
【０００７】
フリッカと呼ばれる表示のちらつきの発生を抑制する手法として、図１３に示すように、印加電圧の極性を１絵素ごとに反転させるドット反転駆動が知られている。ところが、このドット反転駆動を、特許文献１に開示されている液晶表示装置５００において行うと、図１４に示すように、各行で同色の絵素への印加電圧の極性が全て同じになってしまう。そのため、単色表示を行うと、一行全てが同極性となり、信号配線への負荷が大きくなってクロストークによる表示むらが発生してしまう。なお、図１４には、各絵素のスイッチング素子（例えばＴＦＴ）に電気的に接続された信号配線５１３を示しており、各信号配線５１３から供給される表示信号電圧の極性を奇数行の絵素と偶数行の絵素とについてそれぞれ「＋」、「−」で示している。
【０００８】
また、特許文献２に開示されている液晶表示装置６００においても、図１５に示すような反転駆動（列方向については２行ごとに極性を反転）を行うと、各行で同色の絵素への印加電圧の極性が全て同じになってしまい、やはりクロストークによる表示むらが発生してしまう。
【０００９】
特許文献２に開示されているような田の字状の配列の場合には、信号配線６１３に表示信号電圧を供給するソースドライバから、図１６に示すように、２列ごとに極性反転するように表示信号電圧を供給すれば、各行において、同色の絵素の印加電圧を反転させることができるが、このような出力が可能なソースドライバは市販されておらず、特注する必要があるために製造コストを増加させる。また、２列ごとに極性反転するので、隣接する２本の信号配線６１３には同じ極性の電圧が供給される。そのため、寄生容量の影響が隣接する信号配線６１３同士で相殺されず、表示むらが発生してしまう。
【００１０】
本発明は、上記問題に鑑みてなされたものであり、その目的は、高輝度で高品位のカラー表示が可能な表示装置およびそれに用いられるカラーフィルタ基板を提供することにある。
【課題を解決するための手段】
【００１１】
本発明による表示装置は、複数の行および複数の列を有するマトリクス状に配列された複数の画素を有する表示装置であって、前記複数の画素のそれぞれは、第１の色を表示する第１色絵素、第２の色を表示する第２色絵素および第３の色を表示する第３色絵素を有し、さらに、第４の色を表示する２つの第４色絵素を有しており、そのことによって上記目的が達成される。
【００１２】
ある好適な実施形態において、表示面法線方向から見たとき、前記第１色絵素、前記第２色絵素および前記第３色絵素の面積は互いに略等しく、前記第４色絵素の面積は、前記第１色絵素、前記第２色絵素および前記第３色絵素のそれぞれの面積の略半分である。
【００１３】
ある好適な実施形態において、前記第１色絵素は赤色を表示する赤色絵素であり、前記第２色絵素は緑色を表示する緑色絵素であり、前記第３色絵素は青色を表示する青色絵素である。
【００１４】
ある好適な実施形態において、前記第４色絵素は白色を表示する白色絵素である。
【００１５】
ある好適な実施形態において、前記赤色絵素、前記緑色絵素、前記青色絵素および前記２つの白色絵素は、行方向に沿って所定の順番で配置されている。
【００１６】
ある好適な実施形態において、前記２つの白色絵素は、前記赤色絵素、前記緑色絵素および前記青色絵素のうちの少なくとも１つを挟むように配置されている。
【００１７】
ある好適な実施形態において、前記２つの白色絵素は、前記赤色絵素、前記緑色絵素および前記青色絵素のうちの１つを挟むように配置されている。
【００１８】
ある好適な実施形態において、前記２つの白色絵素は、前記赤色絵素または前記青色絵素を挟むように配置されている。
【００１９】
ある好適な実施形態において、前記赤色絵素、前記緑色絵素、前記青色絵素および前記２つの白色絵素のそれぞれは、第１電極と、第１電極に対向する第２電極と、第１電極と第２電極との間に設けられた液晶層と、前記第１電極に電気的に接続されたスイッチング素子とを含み、前記赤色絵素、前記緑色絵素、前記青色絵素および前記２つの白色絵素のそれぞれの前記液晶層には、行方向に沿って隣接する絵素の前記液晶層に印加される電圧とは反対の極性の電圧が印加される。
【００２０】
ある好適な実施形態において、本発明による表示装置は、行方向に沿って延びる複数の走査配線と、列方向に沿って延びる複数の信号配線とをさらに有し、前記２つの白色絵素のうちの一方の白色絵素の前記スイッチング素子が接続されている信号配線と、他方の白色絵素の前記スイッチング素子が接続されている信号配線とは、表示領域外で電気的に接続されている。
【００２１】
本発明によるカラーフィルタ基板は、複数の行および複数の列を有するマトリクス状に配列された複数の画素を有し、前記複数の画素のそれぞれが複数の絵素を有する表示装置に用いられるカラーフィルタ基板であって、前記複数の絵素に対応する複数のカラーフィルタを有し、前記複数のカラーフィルタは、第１の色の光を透過する第１色カラーフィルタ、第２の色の光を透過する第２色カラーフィルタおよび第３の色の光を透過する第３色カラーフィルタを有し、さらに、第４の色の光を透過する２つの第４色カラーフィルタを有しており、そのことによって上記目的が達成される。
【００２２】
ある好適な実施形態において、前記第１色カラーフィルタは赤色の光を透過する赤色カラーフィルタであり、前記第２色カラーフィルタは緑色の光を透過する緑色カラーフィルタであり、前記第３色カラーフィルタは青色の光を透過する青色カラーフィルタである。
【００２３】
ある好適な実施形態において、前記第４色カラーフィルタは白色を透過する白色カラーフィルタである。
【００２４】
ある好適な実施形態において、前記赤色カラーフィルタ、前記緑色カラーフィルタ、前記青色カラーフィルタおよび前記２つの白色カラーフィルタは、行方向に沿って所定の順番で配置されている。
【００２５】
ある好適な実施形態において、前記赤色カラーフィルタ、前記緑色カラーフィルタおよび前記青色カラーフィルタの行方向に沿った幅は互いに略等しく、前記白色カラーフィルタの行方向に沿った幅は、前記赤色カラーフィルタ、前記緑色カラーフィルタおよび前記青色カラーフィルタのそれぞれの行方向に沿った幅の略半分である。
【００２６】
ある好適な実施形態において、前記２つの白色カラーフィルタは、前記赤色カラーフィルタ、前記緑色カラーフィルタおよび前記青色カラーフィルタのうちの少なくとも１つを挟むように配置されている。
【００２７】
ある好適な実施形態において、前記２つの白色カラーフィルタは、前記赤色カラーフィルタ、前記緑色カラーフィルタおよび前記青色カラーフィルタのうちの１つを挟むように配置されている。
【００２８】
ある好適な実施形態において、前記２つの白色カラーフィルタは、前記赤色カラーフィルタまたは前記青色カラーフィルタを挟むように配置されている。
【発明の効果】
【００２９】
本発明による表示装置は、複数の行および複数の列を有するマトリクス状に配列された複数の画素を有しており、これら複数の画素のそれぞれが、第１の色を表示する第１色絵素、第２の色を表示する第２色絵素および第３の色を表示する第３色絵素に加え、第４の色を表示する２つの第４色絵素を有している。このように、各画素が４色の絵素を含むことによって、各画素が３色の絵素のみで構成される場合には得られない種々の効果が得られる。例えば、各画素が、赤色、緑色および青色の絵素に加え、光利用効率の高い白色の絵素を含むことによって、表示輝度の向上を図ることができる。さらに、本発明による表示装置では、各画素が５つすなわち奇数個の絵素で構成されている。そのため、ドット反転駆動を採用した場合の表示むらの発生を抑制することができ、高品位の表示を行うことができる。
【発明を実施するための最良の形態】
【００３０】
以下、図面を参照しながら本発明の実施形態を説明する。なお、本発明は以下の実施形態に限定されるものではない。
【００３１】
まず、図１を参照しながら、本実施形態における液晶表示装置１００の基本構成を説明する。
【００３２】
液晶表示装置１００は、図１に示すように、複数の行および複数の列を有するマトリクス状に配列された複数の画素１を有している。なお、図１には、液晶表示装置１００が有する複数の画素１のうち４つの画素１（２行２列分）を示している。
【００３３】
複数の画素１のそれぞれは、赤色を表示する赤色絵素１Ｒ、緑色を表示する緑色絵素１Ｇ、および青色を表示する青色絵素１Ｂを１つずつ有し、さらに、白色を表示する白色絵素１Ｗを２つ有している。つまり、各画素１は、４色の絵素を含む５つの絵素で構成されている。
【００３４】
各画素１を構成する赤色絵素１Ｒ、緑色絵素１Ｇ、青色絵素１Ｂおよび２つの白色絵素１Ｗは、行方向に沿って所定の順番で配置されており、より具体的には、図中の左側から右側に向かって赤色絵素１Ｒ、緑色絵素１Ｇ、白色絵素１Ｗ、青色絵素１Ｂ、白色絵素１Ｗの順に配置されている。つまり、２つの白色絵素１Ｗが青色絵素１Ｂを挟むように配置されている。
【００３５】
表示面法線方向から見たとき、赤色絵素１Ｒ、青色絵素１Ｂおよび緑色絵素１Ｇの面積は互いにほぼ等しく、白色絵素１Ｗの面積は、赤色絵素１Ｒ、青色絵素１Ｂおよび緑色絵素１Ｇのそれぞれの面積のほぼ半分である。ただし、各絵素の面積比はこれに限定されるものではなく、任意に設定することができる。
【００３６】
液晶表示装置１００は、上述したように、各画素１が、赤色絵素１Ｒ、緑色絵素１Ｇおよび青色絵素１Ｂに加え、白色絵素１Ｗを有している。白色絵素１Ｗにおいては、他の色の絵素においてよりも、カラーフィルタでの光の吸収が少なく、光利用効率が高い。そのため、各画素１が白色絵素１Ｗを含んでいると、各画素がＲ、Ｇ、Ｂの３色の絵素のみで構成されている場合に比べて表示輝度の向上を図ることができる。
【００３７】
さらに、本実施形態における液晶表示装置１００では、各画素１が５つの絵素で構成されている。そのため、ドット反転駆動を行うと、図２に示すように、同色の絵素への印加電圧の極性が、行方向に沿って隣接する２つの画素１間で反転する。例えば、図２中、左上の画素１と右上の画素１とに着目すると、左上の画素１の赤色絵素１Ｒでは印加電圧の極性が正であるのに対し、右上の画素１の赤色画素１Ｒでは印加電圧の極性は負である。同様に、他の色の絵素についても、左上の画素１と右上の画素１とでは印加電圧の極性が異なっている。このように、液晶表示装置１００では、ドット反転駆動を行っても、各行において同色絵素への印加電圧が全て同じ極性となることがないので、表示むらの発生が抑制された高品位の表示を行うことができる。
【００３８】
次に、図３および図４を参照しながら、液晶表示装置１００のより具体的な構造と好ましい構成を説明する。図３は、液晶表示装置１００を模式的に示す断面図であり、図４は、液晶表示装置１００を模式的に示す平面図である。
【００３９】
液晶表示装置１００は、図３に示すように、アクティブマトリクス基板（以下では「ＴＦＴ基板」と呼ぶ）１０と、カラーフィルタ基板（「対向基板」とも呼ばれる）２０と、これらの間に設けられた液晶層３０とを備えている。
【００４０】
ＴＦＴ基板１０は、絶縁性を有する透明基板（例えばガラス基板）１１と、透明基板１１上に設けられた走査配線１２および信号配線１３と、絵素ごとに設けられたＴＦＴ１４および絵素電極１５とを有している。
【００４１】
走査配線１２は、行方向に沿って延び、信号配線１３は、列方向に沿って延びている。ＴＦＴ１４のゲート電極、ソース電極およびドレイン電極は、それぞれ走査配線１２、信号配線１３および絵素電極１５に電気的に接続されている。
【００４２】
カラーフィルタ基板２０は、絶縁性を有する透明基板（例えばガラス基板）２１と、透明基板２１上に形成されたカラーフィルタ２２、ブラックマトリクス２３および対向電極２４を有している。
【００４３】
カラーフィルタ基板２０を拡大して図５に示す。カラーフィルタ基板２０は、各絵素に対応したカラーフィルタ、すなわち、赤色の光を透過する赤色カラーフィルタ２２Ｒ、緑色の光を透過する緑色カラーフィルタ２２Ｇ、青色の光を透過する青色カラーフィルタ２２Ｂおよび白色の光を透過する白色カラーフィルタ２２Ｗを有している。
【００４４】
赤色カラーフィルタ２２Ｒ、緑色カラーフィルタ２２Ｇ、青色カラーフィルタ２２Ｂおよび白色カラーフィルタ２２Ｗは、行方向に沿って所定の順番で配置されており、より具体的には、図中の左側から右側に向かって赤色カラーフィルタ２２Ｒ、緑色カラーフィルタ２２Ｇ、白色カラーフィルタ２２Ｗ、青色カラーフィルタ２２Ｂ、白色カラーフィルタ２２Ｗの順に配置されている。つまり、２つの白色絵素１Ｗに対応する２つの白色カラーフィルタ２２Ｗが、青色カラーフィルタ２２Ｂを挟むように配置されている。
【００４５】
また、赤色カラーフィルタ２２Ｒ、緑色カラーフィルタ２２Ｇおよび青色カラーフィルタ２２Ｂの行方向に沿った幅は互いにほぼ等しく、白色カラーフィルタ２２Ｗの行方向に沿った幅は、赤色カラーフィルタ２２Ｒ、緑色カラーフィルタ２２Ｇおよび青色カラーフィルタ２２Ｂのそれぞれの行方向に沿った幅のほぼ半分である。隣接するカラーフィルタの間には、遮光性を有する材料から形成されたブラックマトリクス２３が設けられている。
【００４６】
ＴＦＴ基板１０と、カラーフィルタ基板２０とは、図３に示すように、シール材３１を介して互いに貼り合わされており、両者の間隙に液晶材料が注入・封止されて液晶層３０が形成されている。ＴＦＴ基板１０およびカラーフィルタ基板２０の液晶層３０側の表面には、液晶層３０に含まれる液晶分子の配向方向を規定するための配向膜１６および２６が形成されている。ＴＦＴ基板１０およびカラーフィルタ基板２０の液晶層３０とは反対側には、偏光板１８および２８が設けられている。
【００４７】
フリッカの発生を防止するため、あるいは、信号配線１３の寄生容量の影響を隣接する信号配線１３間で相殺するためには、図２に示したようなドット反転駆動や、ソースライン反転駆動を行うことが好ましい。つまり、各絵素の液晶層３０には、行方向に沿って隣接する絵素の液晶層３０に印加される電圧とは反対の極性の電圧が印加されることが好ましい。
【００４８】
また、各画素１に含まれる２つの白色絵素１Ｗのうちの一方のＴＦＴ１４が接続されている信号配線１３と、他方のＴＦＴ１４が接続されている信号配線１３とが、図４に示されているように、表示領域外で互いに電気的に接続されていることが好ましい。このような構成を採用することによって、信号配線１３を単純にソースドライバに接続する（信号配線１３の本数とソースドライバの出力数とが一致する）場合に比べ、ソースドライバの出力数を低減（具体的には４／５に低減）することができ、出力数の多い高価なソースドライバを用いることによる製造コストの上昇を防止することができる。
【００４９】
信号配線１３同士を電気的に接続するための具体的な構成の一例を図６に示す。図６に示されている構成では、左側の信号配線１３と右側の信号配線１３とが、走査配線１２と同一の導電膜から形成された接続用の配線１２’を介して電気的に接続されている。中央の信号配線１３と、接続用の配線１２’との交差部には層間絶縁膜１７が形成されており、左側および右側の信号配線１３と中央の信号配線１３との絶縁は保たれている。層間絶縁膜１７は、例えばゲート絶縁膜と同一の絶縁膜から形成されている。このような構成を採用すると、余分な製造工程の増加を伴うことなく、特定の信号配線１３同士を電気的に接続することができる。
【００５０】
白色絵素１Ｗの配置は、図１や図４に例示したものに限定されない。ただし、図４に示したように、各画素１の２つの白色絵素１Ｗに対応した２本の信号配線１３同士を接続する構成を採用した場合、互いに接続された２本の信号配線１３には同極性の電圧が印加されることになる。そのため、少なくとも行方向に沿った反転駆動（ドット反転駆動やソースライン反転駆動）を行うためには、２つの白色絵素１Ｗを、互いに隣接させるのではなく、他の色の絵素を奇数個挟むように配置することが好ましく、例えば図４に示したように１個の絵素を挟むように配置することが好ましい。
【００５１】
より高い表示品位を実現するためには、２つの白色絵素１Ｗを、赤色絵素１Ｒまたは青色絵素１Ｂを挟むように配置することが好ましい。図７（ａ）に示すように、２つの白色絵素１Ｗが緑色絵素１Ｇを挟むように配置されていると、相対的に輝度の高い白色絵素１Ｗおよび緑色絵素１Ｇが画素１内で寄り集まっているので、白を表示した際の色の混合性が悪く、列方向に延びるすじ状の表示むら（縦すじ）が視認され易い。これに対し、図７（ｂ）に示すように２つの白色絵素１Ｗが青色絵素１Ｂを挟むように配置されていたり、図７（ｃ）に示すように２つの白色絵素１Ｗが赤色絵素１Ｒを挟むように配置されていたりすると、画素１内で相対的に輝度の高い領域が分散しているので、色の混合性が良く、縦すじが視認されにくい。
【００５２】
本実施形態における液晶表示装置１００では、各画素１が、赤色絵素１Ｒ、緑色絵素１Ｇおよび青色絵素１Ｂに加え、白色を表示する白色絵素１Ｗを有している。そのため、赤色絵素１Ｒ、緑色絵素１Ｇおよび青色絵素１Ｂへの入力信号（以下では単に「Ｒ信号」、「Ｇ信号」、「Ｂ信号」と呼ぶ）だけでなく、白色絵素１Ｗへの入力信号（以下では単に「Ｗ信号」と呼ぶ）を生成する必要がある。
【００５３】
図８に、Ｗ信号を生成するための具体的な構成の一例を示す。図８に示す例では、液晶表示装置１００は、液晶表示パネル４０と、液晶表示パネル４０の走査配線に走査信号を供給するゲートドライバ４２と、液晶表示パネル４０の信号配線に表示信号を供給するソースドライバ４４と、ゲートドライバ４２およびソースドライバ４４を制御する制御回路４６とを備え、さらに、Ｗ信号を生成するための変換処理回路４８を備えている。
【００５４】
外部の映像信号源から供給されるＲ信号、Ｇ信号およびＢ信号は、変換処理回路４８によってＷ信号を含む信号群に変換されて制御回路４６に出力される。制御回路４６は、入力された信号群に基づいてゲートドライバ４２およびソースドライバ４４を制御し、ゲートドライバ４２およびソースドライバ４４から液晶表示パネル４０の走査配線および信号配線に所定の走査信号および表示信号が供給されることによって表示が行われる。
【００５５】
Ｒ信号、Ｇ信号およびＢ信号からＷ信号を含む信号群への変換処理は、表示の色バランスをなるべく崩さないように行われることが好ましい。例えば、図９（ａ）および（ｂ）に示すように、処理前のＲ信号、Ｇ信号およびＢ信号の階調のうち、最も低い階調（ここではＢ信号の階調）をＷ信号の階調とする、すなわち、処理前の信号群に含まれる無彩色成分をＷ信号とすれば、色バランスの崩れを抑制することができる。
【００５６】
また、図９（ａ）および（ｂ）には、処理前と処理後とでＲ信号、Ｇ信号およびＢ信号の階調が変化しない場合を示したが、図１０（ａ）および（ｂ）に示すように、処理前と処理後とで、Ｒ信号、Ｇ信号およびＢ信号の階調を所定の規則に基づいて変化（ここではＢ信号の階調が変化する場合を図示）させてもよい。
【００５７】
なお、Ｗ信号を生成するための具体的な構成や、変換処理の手法については、公知の種々の構成や手法を用いることができる。例えば、特開平５―２４１５５１号公報、特開平１１−２９５７１７号公報、特開２００４−１０２２９２号公報に開示されている構成や手法を用いることができる。
【００５８】
また、本実施形態では、各画素１に白色絵素１Ｗを２つ設ける構成を例示したが、他の色の絵素を２つ設けることによっても同様の効果を得ることができる。ただし、白色絵素１Ｗを２つ設ける構成の方が、輝度を向上できる色範囲が広く、輝度の向上率も高くすることができる。
【００５９】
また、本実施形態では、絵素が表示する色として、赤色、緑色、青色および白色の４色を示したが、本発明はこれに限定されない。赤色、緑色および青色を表示する絵素に、白以外の色を表示する絵素を組合せてもよいし、白色を表示する絵素に、赤色、緑色および青色以外の３色を表示する絵素を組合せてもよい。
【産業上の利用可能性】
【００６０】
本発明によると、高輝度で高品位のカラー表示が可能な表示装置およびそれに用いられるカラーフィルタ基板が提供される。本発明は、カラー表示が可能な種々の表示装置（例えば液晶表示装置）に好適に用いられる。
【図面の簡単な説明】
【００６１】
【図１】本発明の好適な実施形態における液晶表示装置１００を模式的に示す図である。
【図２】液晶表示装置１００においてドット反転駆動を行ったときの各絵素への印加電圧の極性を示す図である。
【図３】液晶表示装置１００を模式的に示す断面図である。
【図４】液晶表示装置１００を模式的に示す平面図である。
【図５】液晶表示装置１００が備えるカラーフィルタ基板２０を模式的に示す断面図である。
【図６】表示領域外で２本の信号配線１３を互いに電気的に接続するための構成の一例を示す平面図である。
【図７】（ａ）、（ｂ）および（ｃ）は、２つの白色絵素１Ｗの配置例を示す図である。
【図８】白色絵素１Ｗへの入力信号を生成するための構成の一例を示すブロック図である。
【図９】（ａ）および（ｂ）は、信号変換処理の一例を示す図であり、（ａ）は変換処理前の信号群を示し、（ｂ）は変換処理後の信号群を示す。
【図１０】（ａ）および（ｂ）は、信号変換処理の一例を示す図であり、（ａ）は変換処理前の信号群を示し、（ｂ）は変換処理後の信号群を示す。
【図１１】従来の液晶表示装置５００を模式的に示す図である。
【図１２】従来の液晶表示装置６００を模式的に示す図である。
【図１３】ドット反転駆動を行った場合の各絵素への印加電圧の極性を示す図である。
【図１４】従来の液晶表示装置５００においてドット反転駆動を行ったときの各絵素への印加電圧の極性を示す図である。
【図１５】従来の液晶表示装置６００において所定の反転駆動を行ったときの各絵素への印加電圧の極性を示す図である。
【図１６】従来の液晶表示装置６００において所定の反転駆動を行ったときの各絵素への印加電圧の極性を示す図である。
【符号の説明】
【００６２】
１    画素（ピクセル）
１Ｒ    赤色絵素
１Ｇ    緑色絵素
１Ｂ    青色絵素
１Ｗ    白色絵素
１０    アクティブマトリクス基板（ＴＦＴ基板）
１１    透明基板
１２    走査配線
１２’    接続用配線
１３    信号配線
１４    薄膜トランジスタ（ＴＦＴ）
１５    絵素電極
１６    配向膜
１７    層間絶縁膜
１８    偏光板
２０    カラーフィルタ基板（対向基板）
２１    透明基板
２２    カラーフィルタ
２２Ｒ    赤色カラーフィルタ
２２Ｇ    緑色カラーフィルタ
２２Ｂ    青色カラーフィルタ
２２Ｗ    白色カラーフィルタ
２３    ブラックマトリクス
２４    対向電極
２６    配向膜
２８    偏光板
３０    液晶層
３１    シール材
４０    液晶表示パネル
４２    ゲートドライバ
４４    ソースドライバ
４６    制御回路
４８    変換処理回路
１００    液晶表示装置
【図１】
2006259135.tif 000003
【図２】
2006259135.tif 000004
【図３】
2006259135.tif 000005
【図４】
2006259135.tif 000006
【図５】
2006259135.tif 000007
【図６】
2006259135.tif 000008
【図７】
2006259135.tif 000009
【図８】
2006259135.tif 000010
【図９】
2006259135.tif 000011
【図１０】
2006259135.tif 000012
【図１１】
2006259135.tif 000013
【図１２】
2006259135.tif 000014
【図１３】
2006259135.tif 000015
【図１４】
2006259135.tif 000016
【図１５】
2006259135.tif 000017
【図１６】
2006259135.tif 000018